(57)【特許請求の範囲】
【請求項１】
釣り竿の軸方向に沿った軸回りに釣り糸が巻き付けられるスピニングリールであって、
前記釣り竿に装着可能であり前部に円周面が形成されたリール本体と、
前記リール本体の円周面に隙間をあけて装着され前記リール本体に回転自在に支持された円筒部と、前記円筒部の内周面の全周にわたって形成され前記隙間から侵入する異物を捕捉するための異物収容部と、前記円筒部の外周側に前記円筒部と一体で形成された１対のアーム部と、前記１対のアーム部に揺動自在に装着されたベールアームとを有するロータと、
前記ロータの前方で前記リール本体に前後移動自在に装着されたスプールとを備え、
前記円筒部の内周面には、前記円周面との間に隙間にあけて形成された大径周面と、前記大径周面より前方に形成された小径周面と、前記大径周面と小径周面との間を連結する段差端面とが形成され、
前記異物収容部は、前記段差端面の全周にわたって前方に凹んだ環状凹部である、スピニングリール。
【請求項２】
前記異物収容部と前記円筒部の外周面とを連通する逃がし孔部をさらに備える、請求項１に記載のスピニングリール。
【請求項３】
前記リール本体の前記円周面の前端に装着されたローラ型のワンウェイクラッチを有し前記ロータの逆転を防止するための逆転防止機構をさらに備え、
前記異物収容部は、前記ワンウェイクラッチの径方向外方に配置されている、請求項１又は２に記載のスピニングリール。
【請求項４】
前記円筒部と前記リール本体のいずれか一方に前記異物収容部と並列にかつ前記両者のいずれか他方と隙間をあけて装着された環状弾性体をさらに備える、請求項１から３のいずれかに記載のスピニングリール。
【請求項５】
前記環状弾性体は、前記異物収容部の前方に配置されたＯリングである、請求項４に記載のスピニングリール。
【発明の詳細な説明】
【０００１】
【発明の属する技術分野】
本発明は、釣り用リール、特に、釣り竿の軸方向に沿った軸回りに釣り糸が巻き付けられるスピニングリールに関する。
【０００２】
【従来の技術】
スピニングリールは、一般に、釣り竿に装着可能でありハンドルを有するリール本体と、リール本体に回転自在に装着されたロータと、ロータの前方で前後移動自在にリール本体に装着されたスプールとを備えている。ロータはリール本体の前部に装着されており、円筒部と円筒部の側方に互いに対向して設けられた１対のロータアームとを有している。円筒部はリール本体の前部を覆うように配置されており、内周面がリール本体の前部に間隔を隔てて配置されている。
【０００３】
このように構成されたスピニングリールでは、ロータの内周面とリール本体の前部の外周面との間の隙間から砂などの異物がロータの内部に侵入することがある。特にカレイやきす等の魚を釣るための投げ釣り用のスピニングリールの場合、砂浜で使用されることが多いので異物が侵入しやすい。異物がロータとリール本体の隙間からロータ内部に侵入すると、リール本体の前部に装着された逆転防止機構や軸受に異物が噛み込んで逆転防止機構や軸受が損傷し、ロータが円滑に回転しなくなるおそれがある。
【０００４】
ロータ内部への異物の侵入を減少させるために、従来、リール本体の前部とロータの円筒部の内周面との間の隙間を小さくするとともに、隙間のリール本体側にＯリングを装着している。
【０００５】
【発明が解決しようとする課題】
前記従来の構成では、Ｏリング外径とロータ円筒部内周面との隙間が適当になるようにＯリング装着用溝の径や円筒部内周面の径を寸法管理し、場合によっては切削加工する必要がある。また、Ｏリングとロータ内周面との間に異物が噛み込むことも想定される。
【０００６】
本発明の課題は、切削加工や寸法管理等、リール製造コストの増加を招く工程を省きつつ、ロータ内部への異物の侵入を減少させることにある。
【０００７】
【課題を解決するための手段】
発明１に係るスピニングリールは、釣り竿の軸方向に沿った軸回りに釣り糸が巻き付けられるリールであって、リール本体と、ロータと、スプールとを備えている。リール本体は、釣り竿に装着可能であり前部に円周面が形成されている。ロータは、リール本体の円周面に隙間をあけて装着されリール本体に回転自在に支持された円筒部と、円筒部の内周面の全周にわたって設けられ隙間から侵入する異物を捕捉するための異物収容部と、円筒部の外周側に円筒部と一体で形成された１対のアーム部と、１対のアーム部に揺動自在に装着されたベールアームとを有している。スプールは、ロータの前方でリール本体に前後移動自在に装着されている。円筒部の内周面には、円周面との間に隙間にあけて形成された大径周面と、大径周面より前方に形成された小径周面と、大径周面と小径周面との間を連結する段差端面とが形成され、異物収容部は、前記段差端面の全周にわたって前方に凹んだ環状凹部である。
【０００８】
このスピニングリールでは、ロータの円筒部の内周面とリール本体の円周面との間の隙間から異物が侵入すると、侵入した異物は円筒部の内周面に形成された異物収容部によって捕捉されそこに収容される。この異物収容部は円筒部の内周面に円筒部と一体で形成することができるので、リールの製造コストの増加を招く工程を省きつつ、ロータ内部への異物の侵入を減少させることができる。しかも、Ｏリング等の別の部品をさらに装着する場合にも、異物収容部で予め大部分の異物を捕捉できるので、Ｏリングの装着部分での寸法管理や切削加工を行う必要がなくなり、やはりリールの製造コストの増加を招く工程を省きつつ、ロータ内部への異物の侵入を減少させることができる。さらに、この場合には、隙間から侵入した異物は段差端面に向かって侵入する。この段差端面には、環状凹部からなる凹んだ異物収容部が形成されているので、段差端面に到達した異物は異物収容部に収納されそこから内部に侵入しにくい。このため、簡単な構成で異物の侵入を減少させることができる。
【０００９】
発明２に係るスピニングリールは、発明１に記載のリールにおいて、異物収容部と円筒部の外周面とを連通する逃がし孔部をさらに備える。この場合には、異物収容部に収容された異物がロータの回転により生じる遠心力により逃がし孔部を通ってロータの外周面に排出される。このため、異物収容部に異物が収容されても異物収容部に溜まりにくくなる。この結果、異物が異物収容部から溢れにくくなり、異物収容部から内部により侵入しにくくなる。
【００１０】
発明３に係るスピニングリールは、発明１又は２に記載のリールにおいて、リール本体の円周面の前端に装着されたローラ型のワンウェイクラッチを有しロータの逆転を防止するための逆転防止機構をさらに備え、異物収容部は、ワンウェイクラッチの径方向外方に配置されている。この場合には、異物収容部がワンウェイクラッチの径方向外方に配置されているので、ワンウェイクラッチに異物が噛み込みにくくなる。
【００１１】
発明４に係るスピニングリールは、発明１から３のいずれかに記載のリールにおいて、円筒部とリール本体のいずれか一方に前記異物収容部と並列にかつ両者のいずれか他方と隙間をあけて装着された環状弾性体をさらに備える。この場合には、環状弾性体をさらに装着したので異物がリール内部により侵入しにくくなる。
【００１２】
発明５に係るスピニングリールは、発明４に記載のリールにおいて、環状弾性体は、異物収容部の前方に配置されたＯリングである。この場合には、Ｏリングが異物収容部の異物侵入方向の下流側に配置されているので、大部分の異物が異物収容部に捕捉される。このため、Ｏリングの装着部分での寸法管理や切削加工を行う必要がなくなり、リールの製造コストの増加を招く工程を省きつつ、ロータ内部への異物の侵入を減少させることができる。
【００１３】
【発明の実施の形態】
〔全体構成及びリール本体の構成〕
図１において、本発明の一実施形態によるスピニングリールは、釣り竿の軸方向に沿った軸回りに釣り糸が巻き付けられるリールであり、ハンドル１を回転自在に支持するリール本体２と、ロータ３と、スプール４とを備えている。ロータ３は、リール本体２の前部に回転自在に支持されている。スプール４は釣り糸をその外周面に巻き取るものであり、ロータ３の前部で前後移動可能にリール本体２に装着されている。
【００１４】
リール本体２は、釣り竿に装着可能であり、ロータ３やスプール４を支持するボディ１０と、ボディ１０から上方斜め前方に延びる竿取付部１１とを有している。ボディ１０の前部には円周面１２が形成されている。竿取付部１１は、ボディ１０と一体でほぼＴ字型に形成されている。竿取付部１１の上部には、竿取付面１１ａが形成されている。ボディ１０の内部には、ロータ３を回転させるためのロータ駆動機構５と、スプール４を前後移動させて均一に釣り糸を巻き取るためのオシレーティング機構６とが設けられている。
【００１５】
ロータ駆動機構５は、リール本体２の左右方向に沿って配置されたハンドル軸７の基端にハンドル軸７と一体で形成されたマスターギア１３と、マスターギア１３に噛み合うピニオンギア１４とを有している。ピニオンギア１４は筒状に形成されており、その前部１４ａはロータ３の中心部を貫通してスプール４側に延びている。そして、その先端にはネジ部が形成されている。ピニオンギア１４は、その軸方向の中間部と後端部とが、それぞれ軸受１５，１６を介してリール本体２のボディ１０に回転自在に支持されている。
【００１６】
オシレーティング機構６は、スプール４の中心部が先端で連結されたスプール軸２０を前後方向に往復移動させてスプール４を同方向に移動させるための機構である。オシレーティング機構６は、スプール軸２０の下方に配置された螺軸２１と、螺軸２１に沿って前後方向に移動するスライダ２２と、螺軸２１の先端に固定された中間ギア２３とを有している。螺軸２１は、スプール軸２０と平行に配置されており、先端部がロータ３の内部でボディ１０に回転自在に支持されている。また、螺軸２１の外周部には螺旋状の溝２１ａが形成されている。スライダ２２にはスプール軸２０の後端が軸方向移動不能及び回転不能に固定されている。スライダ２２は、螺軸２１の上方及び下方に平行に配置されたガイド軸２４ａ，２４ｂにより軸方向に案内される。中間ギア２３は、螺軸２１の先端部に固定されており、ピニオンギア１４に噛み合っている。
【００１７】
〔ロータの構成〕
ロータ３は、先細り筒状の円筒部３０と、円筒部３０の側方に互いに対向して設けられた第１ロータアーム３１及び第２ロータアーム３２と、両ロータアーム３１，３２の先端に揺動自在に装着されたベールアーム４０とを有している。円筒部３０と両ロータアーム３１，３２とは一体成形されている。
【００１８】
円筒部３０は、図２に示すように、ボディ１０の円周面１２に間隔をあけて装着されボディ１０に回転自在に支持されている。円筒部３０の内周面には、円周面１２との間に隙間にあけて形成された大径周面３３ａと、大径周面３３ａより前方に形成された小径周面３３ｂと、大径周面３３ａと小径周面３３ｂとの間を連結する段差端面３３ｃとが形成されている。段差端面３３ｃにはその全周にわたって前方に凹んだ環状凹部からなる異物収容部１７が形成されている。異物収容部１７は、円筒部３０の内周面とボディ１０の円周面１２との間の隙間から侵入する異物を捕捉するためのものである。異物収容部１７に面して大径周面３３ａには径方向に沿って円筒部３０の外周面に連通する逃がし孔１７ａが形成されている。逃がし孔１７ａは異物収容部１７で捕捉された砂等の異物を遠心力により円筒部３０から外部に放出するために形成されている。
【００１９】
なお、リール本体２の円周面１２において、異物収容部１７に対向する位置より前方には環状のＯリング装着溝１８が形成されており、そこにはＯリング１９が装着されている。Ｏリング１９の内径と円筒部３０の小径周面３３ｂの外径との間には所定の隙間が形成されている。しかし、異物収容部１７がＯリング１９の装着部分と異物侵入方向の下流側に配置されているので、大部分の異物は異物収容部１７が捕捉され、ここでのＯリング装着溝１８の溝径や円筒部３０の小径周面３３ｂの外径の寸法管理を行ったり切削加工を行う必要がない。
【００２０】
円筒部３０の前部には前壁３４が形成されており、前壁３４の中央部にはボス３４ａが形成されている。このボス３４ａの貫通孔をピニオンギア１４の前部１４ａ及びスプール軸２０が貫通している。前壁３４の前方側にはナット３５が配置されており、このナット３５がピニオンギア１４の先端のネジ部に螺合している。ナット３５の内周部には、ナット３５をスプール軸２０に対して回転自在に支持するための軸受３６が配置されている。
【００２１】
ロータ３の前壁３４には、軸方向延びる４つのスリット３７ａが形成された円筒状の第１糸噛み防止部材３７が設けられている。この第１糸噛み防止部材３７は、スプール４に巻き付けられた釣り糸がロータ３との間の隙間から入ってスプール軸２０に噛み込むのを防止するための部材である。また、スプール４の内部においてロータ３との間には、スプール４に巻き付けられた釣り糸がロータ３との隙間から内部に入り込むのを防止するための第２糸噛み防止部材３８が設けられている。第２糸噛み防止部材３８は、スプール軸２０に回転自在に支持されるフランジ状の小径の回転支持部３８ａと、ロータ３の円筒部３０の後部外周側に配置された大径の係止リング部３８ｂと、回転支持部３８ａと係止リング部３８ｂとをスリット３７ａを挿通して連結する４つの連結部３８ｃとを有している。係止リング部３８ｂには、第１及び第２ロータアーム３１，３２に回転不能に係止されるロータ係止ピン３８ｄがそれぞれ径方向外方に突出している。これにより第２糸噛み防止部材３８は、ロータ３に連動して回転する。第２糸噛み防止部材３８の回転支持部３８ａの中心部には、第２糸噛み防止部材３８をスプール軸２０に回転自在に支持すための軸受３９が配置されている。
【００２２】
また、円筒部３０の内部にはロータ３の逆転防止機構５０が配置されている。逆転防止機構５０は、ローラ型のワンウェイクラッチ５１と、ワンウェイクラッチ５１を作動状態及び非作動状態に切り換える操作機構５２（図１）とを有している。
【００２３】
ワンウェイクラッチ５１は、外輪がボディ１０に固定され、内輪がピニオンギア１４に固定されている。ワンウェイクラッチ５１の内部には、ワンウェイクラッチ５１を作動状態と非作動状態とに切り換える切換部材５１ａが回動自在に装着されている。
【００２４】
操作機構５２は、ボディ１０の後部に揺動自在に装着された操作レバー５３と、操作レバー５３により回動するカムシャフト５４とを有している。カムシャフト５４は、軽量でかつ剛性が高い合成樹脂製の部材であり、先端に切換部材５１ａに係合して切換部材５１ａを回動させるカム部５４ａが形成されている。また、カムシャフト５４は、図示しないトグルバネにより作動位置と作動位置から回動した非作動位置とに保持されるようになっている。この逆転防止機構５０では、操作レバー５３を揺動させることでワンウェイクラッチ５１が２つの状態に切り換られ、作動状態のときにロータ３が逆転不能になり、非作動状態のときロータ３が逆転可能になる。
【００２５】
第１ロータアーム３１の内部には、ベールアーム４０を図１に示す糸巻取姿勢とそれからほぼ９０度旋回した糸開放姿勢とに保持するためのトグルバネ機構５５が装着されている。また、第１ロータアーム３１の後部には糸開放姿勢に保持されたベールアーム４０をロータ３の回転により糸巻取姿勢に戻すリターン機構５６が装着されている。
【００２６】
〔ベールアームの構成〕
ベールアーム４０は、図１に示すように、第１及び第２ロータアーム３１，３２の先端の内周側にそれぞれ揺動自在に装着された第１及び第２ベール支持部材４１ａ，４１ｂと、釣り糸案内機構４２と、釣り糸案内機構４２及び第２ベール支持部材４１ｂに両端が固定されたベール４６とを有している。釣り糸案内機構４２は、釣り糸をスプール４に案内するためものであり、第１ベール支持部材４１ａの先端に装着されている。ここで、第２ベール支持部材４１ｂを、例えば、他の部分より比重の大きい材質で構成し、第１ベール支持部材４１ａ及び釣り糸案内機構４２に起因する回転時のアンバランスを解消するためのバランサとして機能させている。これにより、ベールアーム４０を含むロータ３全体は、動的バランスが釣り合ったものになる。
【００２７】
第２ベール支持部材４１ｂは、図３に示すように第２ロータアーム３２の先端部の丸形状と実質的に同径の円形に形成されており、その外周面の一部にベール４６をカシメ固定するための固定部４１ｃが突出している。このように第２ベール支持部材４１ｂを円形にすることで、第２ロータアーム３２からの突出部分が小さくなり落下時等に破損しにくい。また、第２ベール支持部材４１ｂを第２ロータアーム３２から前方に突出させると、ロータアーム３１，３２間のスパンが広い大型リールの場合、第１ベール支持部材４１ａ及び釣り糸案内機構４２の重心に比して第２ベール支持部材４１ｂの重心が前方に移動しすぎることがある。しかし、第２ベール支持部材４１ｂを円形にすることによって、第２ベール支持部材４１ｂの重心の前方への移動し過ぎを防止することができる。
【００２８】
また、各ベール支持部材４１ａ，４１ｂをロータアーム３１，３２の内周側に装着することにより、ベールアーム４０の回転半径が小さくなり、釣り竿も持つ手に当たりにくくなる。したがって、竿取付部１１を短くしてスプール４と釣り竿を近づけることができ、全体として小型化が可能になる。
【００２９】
ここで、両ベール支持部材４１ａ，４１ｂは、一本の揺動軸Ｍを中心に揺動自在である。そして、揺動軸Ｍと第１ロータアーム３１の第１ベール支持部材取付面とが交差する点を揺動中心Ｃ１とし、揺動軸Ｍと第２ロータアーム３２の第２ベール支持部材取付面とが交差する点を揺動中心Ｃ２とした場合、揺動中心Ｃ２は揺動中心Ｃ１より前方に位置している。すなわち、揺動軸Ｍは、スプール軸２０と直交する軸に対して、たとえば５度後方に傾いている。また、各ベール支持部材４１ａ，４１ｂは、それらの揺動面が揺動軸Ｍに対して直交するように配置されている。
【００３０】
また、第１ロータアーム３１は、スプール軸２０に対して先端側に５度開いて形成されている。そして内部のトグルバネ機構５５や第１ベール支持部材４１ａを支持するボス部３１ａなども５度傾けて配置されている。さらに第１ロータアーム３１をカバーする第１カバー３１ｂも第１ロータアーム３１に沿って配置されている。このように、５度傾けて各部を配置することで、揺動軸Ｍを傾けても第１ロータアーム３１の付け根部（円筒部３０との連結部）をコンパクトに構成できる。一方、第２ロータアーム３２は、スプール軸２０に沿って形成されており、第２ベール支持部材４１ｂを支持するボス部３２ａが５度傾いて形成されている。
【００３１】
〔釣り糸案内機構の構成〕
釣り糸案内機構４２は、図４に示すように、第１ベール支持部材４１ａに先端が固定された固定軸４３と、固定軸４３に基端が挿入された固定軸カバー４４と、概略筒状のラインローラ４５とを有している。
【００３２】
固定軸４３は、固定軸カバー４４とは共に切削加工により製作された部材である。固定軸４３は、基端が固定軸カバー４４から延びており、先端が第１ベール支持部材４１ａの先端に固定ネジ４８により固定されている。
ラインローラ４５は、固定軸４３に軸受（図示せず）を介して回転自在に支持されており、外周面に糸案内用の円周溝４５ａが形成されている。
【００３３】
ベール４６は、図３及び図４に示すように、固定軸カバー４４と第２ベール支持部材４１ｂの固定部４１ｃとに各端部がそれぞれ挿入固定されている。ベール４６は、スプール４の周方向外方に湾曲して配置され、釣り糸を固定軸カバー４４を介してラインローラ４５に導く。ここで、ベール４６は、固定軸カバー４４から僅かに図４下方の位置Ａで斜め下方に折り曲げられ、さらに位置Ｂで上方に折り曲げられている。このようにベール４６を折り曲げて形成することで、ベール４６のロータ軸方向の重心位置を、第１ベール支持部材４１ａ，釣り糸案内機構４２及び第２ベール支持部材４１ｂの各重心位置と揃えることができる。
【００３４】
このようにベール４６の重心を揃えることで、ベール４６の重心をリール本体２の後方に下げることができ回転バランスがとりやすくなり、回転バランスのための第２ベール支持部材４１ｂ側の質量も軽減できる。さらに位置Ａでの折り曲げ角度が鈍角になるので、ベール４６が折れにくくなる。
【００３５】
〔スプールの構成〕
スプール４は、図１に示すように、ロータ３の第１ロータアーム３１と第２ロータアーム３２との間に配置されており、スプール軸２０の先端にドラグ機構６０を介して固定されている。スプール４は、図２に示すように、外周に釣り糸が巻き付けられる先細りテーパ筒状の糸巻胴部４ａと、糸巻胴部４ａの後部にそれより大径に一体で形成された後フランジ部４ｂと、糸巻胴部４ａの前部に固定された大径の前フランジ部４ｃとを有している。これらの各部は合成樹脂製であり、一体で形成されている。糸巻胴部４ａの先端部には円板状の前壁部５１が一体で形成されており、その前部にはドラグ機構６０のドラグ板６４が装着されている。
【００３６】
糸巻胴部４ａはロータ３の円筒部３０の外周側まで延びており、通常のスピニングリールより胴長さが長くなっている。後フランジ部４ｂには、図５に示すように、糸止め孔４７が円弧の一部を短絡するような弦に沿って形成されている。糸止め孔４７は、一端から途中まで形成された大径孔４７ａと他端から大径孔４７ａに連通するように形成された小径孔４７ｂとを有している。このように大小２つの孔４７ａ，４７ｂで糸通し孔４７を構成することで、スプール４成形時に孔４７ａ，４７ｂの接合部分で金型を突き合わせ、孔形成用の軸部をインロウ合わせすることで、樹脂のバリによる糸の引っ掛かりを防止でき、糸通ししやすくなるとともに、後フランジ部４ｂの外周面の仕上がりもきれいになる。
【００３７】
ドラグ機構６０は、図２に示すように、スプール４の内部前端面に押し付けられる押し付け部材６１と、ドラグ力を調整するための調整つまみ６２と、押し付け部材６１と調整つまみ６２との間に配置された押圧ばね６３と、押し付け部材６１とスプール４との間に配置された複数のドラグ板６４とを有している。
押し付け部材６１は、調整つまみ６２に回動自在かつ軸方向移動不能に装着されている。押し付け部材６１と調整つまみ６２との間には音出し機構６５が装着されている。押し付け部材６１の内部には円柱状の空間が形成されており、そこに押圧ばね６３が圧縮状態で配置されている。
【００３８】
調整つまみ６２は、前面に直線状の突起部６７ａを有する円板状のつまみ本体６７と、つまみ本体６７の突起部６７ａの前部に装着された金属メッキされた装飾部材６８とを有している。装飾部材６８には、２つの棒状の装着部６８ａが形成されている（図２では１つのみ図示）。装着部６８ａはつまみ本体６７を貫通してつまみ本体６７の後面に露出している。装着部６８ａの端面には固定ビス６９がねじ込まれている。固定ビス６９は、装飾部材６８をつまみ本体６７に固定するとともに押し付け部材６１をつまみ本体６７に回動自在かつ軸方向移動不能に装着するためのものである。ここでは、２本の固定ビス６９により装飾部材６８と押し付け部材６１とを一度につまみ本体６７に装着できるので、ビスの数を減らすことができる。
【００３９】
複数のドラグ板６４は、スプール軸２０の先端に平行に形成された面取り部２０ａに一部が回転不能に係止され、残りの一部がスプール４に回転不能に係止されている。スプール軸２０の先端にはネジ部２０ｂが形成されており、そこにつまみ本体６７に回転不能に係止されたナット６６が螺合している。
【００４０】
音出し機構６５は、調整つまみ６２を回すと発音する機構であり、つまみ本体６７にスプール軸方向に沿って配置され軸方向に移動自在に装着された音出しピン７１と、音出しピン７１を押し付け部材６１側に付勢する音出しばね７２と、押し付け部材６１の前端面に音出しピン７１に対向可能に形成され周方向に等間隔に配置された音出し穴７３とを有している。
【００４１】
なおスプール４には、ドラグ作動時に発音するドラグ発音機構７０も設けられている。
【００４２】
〔リールの操作及び動作〕
このスピニングリールでは、キャスティング時には、ベール４６を糸巻取側姿勢から糸開放姿勢に倒す。これにより第１及び第２ベール支持部材４１ａ，４１ｂは、揺動軸Ｍを中心として同方向に回転する。このとき、第１及び第２ベール支持部材４１ａ，４１ｂは、第１及び第２ロータアーム３１，３２の内周側に配置され、かつ揺動軸Ｍがスプール軸２０に対して後方に傾いているので、第１ベール支持部材４１ａ及びその先端のラインローラ４５は、糸巻取姿勢時の位置よりもさらに内周側に移動する。このため、キャスティング時に繰り出された釣り糸が第１ベール支持部材４１ａやラインローラ４５に絡みにくくなる。
【００４３】
このキャスティング後のドラグ力は、調整つまみ６２を回すことで調整できる。たとえば、調整つまみ６２を右に回すと、ナット６６とネジ部２０ｂとの螺合によりナット６６とともに押し付け部材６１が図２右側に移動し押し付け部材６１がドラグ板６４を徐々に強く押圧してドラグ力が強くなる。逆に回すとナット６６とともに押し付け部材６１が図２左側に移動しドラグ力が弱くなる。
【００４４】
釣り糸巻取時には、ベール４６を糸巻取姿勢に倒す。これは、ハンドル１を糸巻取方向に回転させるとリターン機構５６の働きにより自動的に行われる。ハンドル１を糸巻取方向に回転させると、この回転力はハンドル軸７及びマスターギア１３を介してピニオンギア１４に伝達される。このピニオンギア１４に伝達された回転力は、ピニオンギア１４前部を介してロータ３に伝達され、ロータ３が糸巻取方向に回転する。
【００４５】
また、ベール４６が糸巻取姿勢に倒れてロータ３が回転すると、ベール４６の後部（釣り糸案内側接触部）に接触した釣り糸は、ベール４６により固定軸カバー４４に案内される。固定軸カバー４４に案内された釣り糸は、ラインローラ４５に案内され、さらに、ラインローラ４５で釣り糸の方向が変えられスプール４外周に巻き取られる。
【００４６】
このようにしてリールを操作するときや釣り竿を置いたときに、リールに砂等の異物が付着することがある。特に、カレイやきす等の魚を砂浜から投げ釣りで狙うときには、砂等の異物がリールに付着しやすい。リールに異物が付着すると、それがリール本体２の円周面１２とロータ３の円筒部３０との間の隙間から侵入することがある。しかし、本実施形態では、隙間に異物収容部１７を設けたので、侵入した異物が異物収容部１７に捕捉され、ロータ３内部に侵入しにくくなる。
【００４７】
〔他の実施形態〕
（ａ）  前記実施形態では、逆転防止機構を有するスピニングリールを例に説明したが、逆転防止機構を持たないレバーブレーキ型のスピニングリールにも本発明を適用できる。
【００４８】
（ｂ）  前記実施形態では異物をより確実に除去するためにＯリング１９をリール本体２の円周面１２に装着したが、Ｏリング１９の装着位置はロータ３側でもよく、またＯリングを装着しなくてもよい。
【００４９】
【発明の効果】
本発明によれば、ロータの円筒部の内周面とリール本体の円周面との間の隙間から侵入した異物は、円筒部の内周面に形成された異物収容部によって捕捉され収容されるので、ロータ内部への異物の侵入を減少させることができる。この異物収容部は円筒部の内周面に円筒部と一体で形成することができるので、リールの製造コストの増加を招く工程を省くことができる。しかも、Ｏリング等の別の部品をさらに装着する場合にも、異物収容部で予め大部分の異物を捕捉できるので、Ｏリングの装着部分での寸法管理や切削加工を行う必要がなくなり、やはりリールの製造コストの増加を招く工程を省きつつ、ロータ内部への異物の侵入を減少させることができる。
【図面の簡単な説明】
【図１】  本発明の一実施形態によるスピニングリールの縦断面図。
【図２】  そのロータ及びスプール部分の断面拡大図。
【図３】  第１ロータアームの平面図。
【図４】  第２ロータアームの平面図。
【図５】  図１のＶ−Ｖ断面図。
【符号の説明】
２  リール本体
３  ロータ
４  スプール
１２  円周面
１７  異物収容部
１７ａ  逃がし孔
１８  Ｏリング装着溝
１９  Ｏリング
３０  円筒部
３１，３２  第１及び第２ロータアーム
３３ａ  大径周面
３３ｂ  小径周面
３３ｃ  段差端面
４０  ベールアーム
５０  逆転防止機構
５１  ワンウェイクラッチ
【図１】
0003745883.tif 000002
【図２】
0003745883.tif 000003
【図３】
0003745883.tif 000004
【図４】
0003745883.tif 000005
【図５】
0003745883.tif 000006